【手続補正書】
【提出日】平成15年5月22日(2003.5.22)
【手続補正１】
【補正対象書類名】明細書
【補正対象項目名】全文
【補正方法】変更
【補正の内容】
【発明の名称】給水マット付植物トレイと貯水タンクの一体型底面給水プランター
【特許請求の範囲】
【請求項１】表板（１１）と底板（１５）を脚足（１８）により一体的に成型した給水マット付植物トレイ（１０）と、
前記給水マット付植物トレイ（１０）の前記表板（１１）の周囲に雨水等を集めるための縁（１２）を設けて下の貯水タンク（３０）に貯水できるようにし、かつ前記縁（１２）は前記貯水タンク（３０）の持ち手（３１）と重なる構造にすると共に、
前記表板（１１）は植物を植えた鉢（５）を入れるポケット（１３）を筒状に設け、かつ給水マット（２０）からの水分の蒸散を抑えながら植物を植えた前記鉢（５）を支持する構造とすることを特徴とする給水マット付植物トレイと貯水タンクの一体型底面給水プランター。
【請求項２】前記底板（１５）は、前記貯水タンク（３０）からの蒸散水分を吸収して発根を促進するための網目状とし、かつ前記底板（１５）の表面に前記給水マット（２０）を乗せることを特徴とする請求項１に記載の給水マット付植物トレイと貯水タンクの一体型底面給水プランター。
【請求項３】前記給水マット付植物トレイ（１０）全体は、前記貯水タンク（３０）の蓋の役目を果たし、前記貯水タンク（３０）内の水分蒸散を防止する構造とすることを特徴とする請求項１又は請求項２に記載の給水マット付植物トレイと貯水タンクの一体型底面給水プランター。
【請求項４】前記貯水タンク（３０）は、雨水等を一定量に保つ排水口（３２）を、前記給水マット付植物トレイ（１０）の前記底板（１５）より低い位置で、かつ前記給水マット（２０）の給水能力を高めるためにできるだけ前記底板（１５）に近い位置に設け、降雨時に充分排水できる構造とすることを特徴とする請求項１、請求項２、及び請求項３のいずれか１つに記載の給水マット付植物トレイと貯水タンクの一体型底面給水プランター。
【請求項５】前記一体型底面給水プランターの高さは、用途に合わせて調整するための調整足（３３）を前記貯水タンク（３０）の底面に２列に設け、かつ前記貯水タンク（３０）全体を一体的に成型した構造とすることを特徴とする請求項１、請求項２、請求項３、および請求項４のいずれか１つに記載の給水マット付植物トレイと貯水タンクの一体型底面給水プランター。
【請求項６】周囲に雨水等を集めるための縁（１２）を設け、かつ前記縁（１２）と、給水マット（２０）を乗せる底板（１５）とを脚足（１８）により一体的に成型した給水マット付植物トレイ（１０）と、
植物を植えた鉢（５）を入れるポケット（１７）を筒状に設け、かつ前記給水マット（２０）からの水分の蒸散を抑えながら植物を植えた前記鉢（５）を支持する表板（１６）と、
前記表板（１６）は、前記給水マット付植物トレイ（１０）の前記縁（１２）の上に乗せて、下の前記貯水タンク（３０）に貯水できるようにし、かつ水分蒸散を防止する構造とすることを特徴とする給水マット付植物トレイと貯水タンクの一体型底面給水プランター。
【請求項７】前記貯水タンク（３０）の内部にフロート（５２）と給水弁（５１）が一体となった器具を取り付けて水道管（５３）を接続し、
前記貯水タンク（３０）の水位が一定量より下がると前記給水弁（５１）が開いて給水口（５４）から給水し、
前記給水口（５４）に給水チューブ（５６）を取り付けて外部に送水管（５５）の配管を前記一体型底面給水プランター沿いに配管して先端を止めて、複数の各前記一体型底面給水プランターのかん水を自動的に行う構造とすることを特徴とする請求項１又は請求項６に記載の給水マット付植物トレイと貯水タンクの一体型底面給水プランター。
【請求項８】前記鉢（５）を、水分吸収と発根を促進するために底穴（６１）を大きくした専用鉢（６０）に入れ替えて、前記給水マット（２０）に前記専用鉢（６１）の鉢底の土が接地する構造とすることを特徴とする請求項１又は請求項６に記載の給水マット付植物トレイと貯水タンクの一体型底面給水プランター。
【発明の詳細な説明】
【０００１】
【発明の属する技術分野】
本発明は、給水マットによる底面給水を利用し、貯水機能と、植物を植えた鉢の支持と、水分の蒸散抑制を一体的化した緑化園芸用の給水マット付植物トレイと貯水タンクの一体型底面給水プランターに関するものである。
【０００２】
【従来の技術】
従来はプランターに土を入れて植物を育成し鑑賞するものであり、この方法は材料の準備や植え付け作業に時間と費用を要し、植物の栽培技術が必要なため、土壌や植物特性によって生育が揃わず枯死する場合があった。また、メンテナンスの面でも、かん水や施肥、除草、植物の植え替えなどに多くの労力が必要であった。さらに、従来のプランターは重くて移動が困難なため、手軽に大量に利用することが難しかった。
【０００３】
【発明が解決しようとする課題】
本発明は、土の代わりに給水マットと水を使って底面給水により植物を育成し、植物を支持するポケットに一般に流通する栽培鉢を入れ、水を入れるだけで植栽が完成する簡単な構造にすることにより、軽量で作業性が良く、植物の生育が良好でメンテナンスの少ない、給水マット付植物トレイと貯水タンクの一体型底面給水プランターを提供するものである。
【０００４】
【課題を解決するための手段】
前記課題を解決するため、（Ｉ）本発明は、給水マット付植物トレイと貯水タンクで構成され、給水マット付植物トレイは表板と底板を脚足により一体的に成型し、表板の周囲に雨水等を集めるための縁を設けて下のタンクに貯水できるようにし、貯水タンクの持ち手と重なる構造にすると共に、植物を植えた鉢を入れるポケットを筒状に設け、給水マットからの水分の蒸散を抑ながら植物を植えた鉢を支持する構造とする。底板は、貯水タンクからの蒸散水分を吸収して発根を促進するために網目状にし、表面に給水マットを乗せる構造にする。この際、トレイ表面から入れた植物を植えた鉢の底部が、底板の給水マットの上に直接乗る構造とする。給水マットは親水性にすぐれ、垂直、水平給水能力の高い素材を使用し、給水マットの両端を底板から貯水タンクの底に接地するように垂らし、貯水タンクの水を吸い上げて底板の上部まで常時水分を供給し、植物を植えた鉢が必要な水分を吸収する構造とする。給水マット付植物トレイ全体は、貯水タンクの蓋の役目を果たし、貯水タンクの水分蒸散を防止する構造とする。貯水タンクは、給水マット付植物トレイの縁と重なるようにした持ち手を設け、雨水等を一定量に保つ排水口を、底板より低い位置でかつ、給水マットの給水能力を高めるためにできるだけ底板に近い位置に設け、降雨時に充分排水できる構造とする。又、プランター全体の高さを、用途に合わせて調整するための調整足を貯水タンクの底面に２列に設け、貯水タンク全体を一体的に成型した構造とする。以上のような構造で構成されたプランターである。
すなわち、本発明の給水マット付植物トレイと貯水タンクの一体型底面給水プランターは、表板と底板を脚足により一体的に成型した給水マット付植物トレイと、前記給水マット付植物トレイの前記表板の周囲に雨水等を集めるための縁を設けて下の貯水タンクに貯水できるようにし、かつ前記縁は前記貯水タンクの持ち手と重なる構造にすると共に、前記表板は植物を植えた鉢を入れるポケットを筒状に設け、かつ前記給水マットからの水分の蒸散を抑えながら植物を植えた前記鉢を支持する構造とすることを特徴とする給水マット付植物トレイと貯水タンクの一体型底面給水プランターを提供するものである。
また、（ＩＩ）本発明は、上記（Ｉ）に記載したプランターの、給水マット付植物トレイの一体的な成型が困難な場合、雨水等を集めるための縁と、給水マットを乗せる底板を脚足により一体的に成型し、鉢を支持するポケットを筒状に設けた表板を上に乗せ、水分蒸散を防止する構造としたプランターを提供するものである。
また、（ＩＩＩ）本発明は、上記（Ｉ）に記載したプランターの内部に、フロートと給水弁が一体となった器具を取り付けて水道管を接続することにより、植物の水分吸収により貯水タンクの水位が一定量より下がると、給水弁が開き給水口から水が出る構造とし、給水口に送水管を取り付けて外部に配管を伸ばし、プランター沿いに配管して先端を止め、チューブにより各プランターに給水する構造とする。このように、複数のプランターのかん水を自動的におこなうための、給水用プランターを提供するものである。
また、（ＩＶ）本発明は、上記（Ｉ）に記載したプランターに使用する植物を植えた鉢の、水分吸収と発根を促進するために底穴を大きくした鉢であり、植物を植えた鉢がプラスチック等で給水マットに鉢底の土が接地しない場合にも、植物を入れ替えて使用できる構造にした鉢を提供するものである。
【０００５】
【発明の実施の形態】
本発明の一実施形態を図１及び、図２にもとづいて説明する。本発明は、給水マット付植物トレイ１０と貯水タンク３０を一体にしたもので、表板１１の周囲に縁１２を設けて雨水等を集め、筒状のポケット１３を設けて植物を植えた鉢５を入れる。底板１５は給水マット２０を乗せる構造にし、表板１１と底板１５は脚足１８により一体成型する。給水マット付植物トレイ１０の表面から入れた、植物を植えた鉢５の底部が、底板１５の給水マット２０の上に乗る構造とし、給水タンク３０の水を吸い上げて水分を供給する。又、給水マット付植物トレイ１０全体が貯水タンク３０の蓋の役目を果たし水分の蒸散を防止する。貯水タンク３０は、上部の側面に排水口３２を開けて、底板１５より下に一定水位を保ち、貯水タンク３０の下に一体型底面給水プランター５０Ａの高さ調整用の調整足３３を取り付ける構造とする。
【０００６】
又、一体型底面給水プランター５０Ａの内部に、給水弁５１とフロート５２が一体となった器具を取り付けて水道管５３を接続することにより、植物の利用等により貯水タンク３０の水位が一定量より下がると、給水口５４から水が出る構造とし、送水管５５を取り付けて外部に配管を伸ばし、給水チューブ５６により各一体型底面給水プランター５０Ａに給水する構造とする。これにより、１つのプランターを一体型底面給水プランター５０Ａとして、複数の一体型底面給水プランター５０Ａのかん水を自動的に行うことができる。
【０００７】
【実施例】
本発明の実施例１を図１にもとづいて説明する。
本発明の実施例１の給水マット付植物トレイと貯水タンクの一体型底面給水プランター（単に、プランターともいう。以下同じ）は、図１に示したように給水マット付植物トレイ１０と貯水タンク３０で構成される。給水マット付植物トレイ１０は表板１１と底板１５を脚足１８で一体的に成型し、表板１１の表面は、周囲に雨水等を集めるための縁１２を設けて下の貯水タンク３０に貯水できるようにし、貯水タンク３０の持ち手３１と重なる構造にすると共に、植物を植えた鉢５を入れるポケット１３を筒状に設け、給水マット２０からの水分蒸散を抑えながら植物を植えた鉢５を支持する構造とする。底板１５は、貯水タンク３０からの蒸散水分を吸収して発根を促進する為に網目状にし、表面に給水マット２０を乗せる構造にする。この際、給水マット付植物トレイ１０の表面から入れた、植物を植えた鉢５の底部が、底板１５上の給水マット２０の上に直接乗る構造とする。給水マット２０は親水性に優れ、垂直、水平給水能力の高い素材を使用し、両端を底板１５から貯水タンク３０の底に接地するように垂らして、貯水タンク３０の水を吸い上げて底板１５の上部まで常時水分を供給する。給水マット付植物トレイ１０は、上記の構造であり、貯水タンク３０の上に乗せた際に縁１２が持ち手３１と重なり、全体が貯水タンク３０の蓋の役目を果たして貯水タンク３０からの水分蒸散を防止する。
以上の仕組みにより、植物を植えた鉢５は、給水マット付植物トレイ１０内で鉢５が倒れないように支持され、常時、必要量の水分を給水マット２０から補給し、合わせて、雨水等の水が給水マット付植物トレイ１０で受けられ、貯水タンク３０に貯水される。
【０００８】
貯水タンク３０は、植物を育成する水を貯水する役目を果たし、給水マット付植物トレイ１０の縁１２と重なるようにした持ち手３１と、雨水等を一定量に保つ排水口３２を、底板１５より低い位置で、給水マット２０の給水能力を高めるためにできるだけ底板１５に近い位置に設け、降雨時に充分排水できる構造とする。又、一体型底面給水プランター５０Ａ全体の高さを用途に合わせて調整するための調整足３３を、貯水時の重量に充分耐える強度で貯水タンク３０の底面に２列に設け、貯水タンク３０全体を一体的に成型した構造とする。
【０００９】
本発明の実施例２にかかる一体型底面給水プランター５０Ａの断面と利用例を図２にもとづいて説明する。
図２は、一体型底面給水プランター５０Ａの内部に、給水弁５１とフロート５２が一体となった器具を取り付けて水道管５３を接続することにより、植物の水分吸収により貯水タンク３０の水位が一定量より下がると、給水弁５１が開き、給水口５４から水が出る構造とし、給水口５４に送水管５５を取り付けて外部に配管を伸ばし、給水チューブ５６により各一体型底面給水プランター５０Ａに給水する構造とする。これにより、１つの一体型底面給水プランター５０Ａから、順々に複数の一体型底面給水プランター５０Ａへのかん水を自動的に行うことができる。又、この側面に、化粧パネル５７等を立てれば簡易に植栽ベースができる。
【００１０】
本発明の実施例３を図３にもとづいて説明する。
上述の実施例１の一体型底面給水プランター５０Ｂの、給水マット付植物トレイ１０の一体的な成型が困難な場合、実施例３は雨水等を集める為の縁１２と、給水マット２０を乗せる底板１５を脚足１８により一体的に成型し、鉢５を支持するポケット１７を筒状に設けた表板１６を給水マット付植物トレイ１４の上に乗せ、水分蒸散を防止する構造とする。
【００１１】
図４は、本発明の実施例４において、上述の実施例１および３の一体型底面給水プランター５０Ａ，５０Ｂに使用する植物を植えた鉢５の、水分吸収と発根を促進するため、底穴６１を大きくした専用鉢６０であり、植物を植えた鉢５がプラスチック鉢６２等で、給水マット２０の上に土が接地しない場合は、専用鉢６０に、植物を植えた鉢５の植物を入れ替えて一体型底面給水プランター５０Ａ，５０Ｂに使用する。
これらの実施例において、一体型底面給水プランターの形状を簡単に変えられるため、テラコッタ等の美しい容器のインナープランターとしての利用や、円形やハンギングタイプに成型すれば家庭園芸やガーデニングに利用できる。また、本発明のプランターはメンテナンスの省力化が図れ、通常秋から春はかん水を必要とせず、施工後の除草作業がほとんどなく、肥料も鉢から流出した成分を再度吸収するため肥料効率がよい。そして、本プランターにセットした植物は、給水マットにより根に充分な酸素が供給され、均一で健全な生育をさせることができる。
【００１２】
【発明の効果】
本発明は、以上のように構成され、次のような効果を奏する。本発明の一体型底面給水プランターは、きわめて施工が簡単で、同プランターをセットし植物を植えた鉢を入れるだけで完成するために専門技術を必要とせず、労力も少なく短時間で施工でき、季節に合わせた植物の植え替え等も簡単にできる。また、用途が広く、土を使わないために植物を植えた鉢と水があればどこでも簡単に施工でき、人工地盤や屋上緑化等に最適であり、多数配列して外側に化粧パネルを立てれば一般の植栽工事と同じ効果が得られるため、道路緑化や公園などに利用できる。さらに、水を排水すれば軽量で移動が簡単なためにイベントの花壇や緑化等にも利用できる。
【００１３】
また、請求項７記載の一体型底面給水プランターを給水プランターとして、順々に複数の一体型底面給水プランターを給水チューブで一元的に管理すれば、花壇や道路緑化等の大面積の緑化工事に利用でき、雨が当たらない高架下等でも自由に緑化ができる。
【００１４】
また、請求項８記載の鉢を使用することにより、植物の給水と発根を促進することができ、あらゆる形態で栽培された植物を一体型底面給水プランターで利用することができる。
【図面の簡単な説明】
【図１】本発明の実施例１の給水マット付植物トレイと貯水タンクの一体型底面給水プランターの分解斜視図である。
【図２】本発明の実施例２において図１の一体型底面給水プランターの断面と利用例の斜視図である。
【図３】本発明の実施例３の給水マット付植物トレイと貯水タンクの一体型底面給水プランターの分解斜視図である。
【図４】本発明の実施例４において、図１、図３の植物を植えた鉢の斜視図である。
【符号の説明】
５…鉢
１０，１４…給水マット付植物トレイ
１１，１６…表板
１２…縁
１３，１７…ポケット
１５…底板
１８…脚足
２０…給水マット
３０…貯水タンク
３１…持ち手
３２…排水口
３３…調整足
５０Ａ，５０Ｂ…一体型底面給水プランター
５１…給水弁
５２…フロート
５３…水道管
５４…給水口
５５…送水管
５６…給水チューブ
５７…化粧パネル
６０…専用鉢
６１…底穴
６２…プラスチック鉢


【手続補正２】
【補正対象書類名】図面
【補正対象項目名】図１
【補正方法】変更
【補正の内容】
【図１】
2003009687.tif 000001
【手続補正３】
【補正対象書類名】図面
【補正対象項目名】図２
【補正方法】変更
【補正の内容】
【図２】
2003009687.tif 000002
【手続補正４】
【補正対象書類名】図面
【補正対象項目名】図３
【補正方法】変更
【補正の内容】
【図３】
2003009687.tif 000003